(57)【要約】【課題】自動選局動作に先立つ前記処理を必要とせず、なおかつ、季節によって異なる電離層が高度変化する時間に対応して、適切な自動選局動作を行うことのできる放送受信機を提供する。【解決手段】現在の時刻および現在の年月日を算出するためにマイコン１１４と時計用水晶１１９とからなる年月日時刻演算部と、それぞれの月日とそれぞれの月日の日没時刻とが対応付けられた情報として記憶された日没時刻データテーブルメモリ１２０とを有し、マイコン１１４は、年月日時刻演算部が算出した現在の時刻および年月日の情報を用いて日没時刻データテーブルメモリ１２０に記憶された日没時刻データを参照して、現在の時刻が日没前か日没後かを判別し、この判別結果によって前記所定の受信感度の値を変更する。【選択図】図１
2010232979.tif 000002
【特許請求の範囲】
【請求項１】
受信周波数を走査させて所定の受信感度以上の放送局を選局する自動選局を行う放送受信装置であって、
前記自動選局の動作を制御するマイコンと、現在の時刻および現在の年月日を算出する年月日時刻演算部と、１年間のそれぞれの月日と前記それぞれの月日の日没時刻とが対応付けられた情報として記憶された日没時刻データテーブルメモリとを有し、
前記マイコンは、前記年月日時刻演算部が算出した現在の時刻および年月日の情報を用いて前記日没時刻データテーブルメモリに記憶された日没時刻データを参照し、現在の時刻が日没前か日没後かを判別し、この判別結果によって前記所定の受信感度の値を変更することを特徴とする放送受信装置。
【請求項２】
前記年月日時刻演算部は、前記マイコンと水晶振動子とからなることを特徴とする請求項１に記載の放送受信装置。
【発明の詳細な説明】
【技術分野】
【０００１】
本発明は、電離層の高度変化による放送電波の反射の影響を受けることなく、季節に依らず昼夜にわたって受信状態のよい周波数を選択できる放送受信機に関するものである。
【背景技術】
【０００２】
従来、放送受信機の自動選局装置として、自動選局動作に先立ち、基準電界強度を決定する処理を行うものが知られている。すなわち、まず、周波数選局部によって電波受信部における受信周波数を所定のサンプリング数だけ段階的に変化させ、各受信周波数に対するサンプリング電界強度を検出して記憶する。そして、このサンプリングした電界強度を予め制御部に設定されている非常に強い電界強度である最大電界強度Ｙ、及び、非常に弱い電界強度である最小電界強度Ｘと比較し、選局用の基準電界強度を決定する。そして、この決定した基準電界強度に基づいて選局処理を行う（例えば特許文献１参照）。
【０００３】
また、ＡＭラジオ受信機の自動選局方法として、昼夜判別装置より出力される昼夜の判別信号により、入力電界レベル判別感度切り換え装置が選局感度を自動的に切り換えるものが知られている（特許文献２参照）。
【特許文献１】特開平１１−２６１４２９号公報
【特許文献２】特開平６−１６４３２５号公報
【発明の開示】
【発明が解決しようとする課題】
【０００４】
しかしながら、特許文献１に記載のものは、自動選局動作に先立ち、各周波数ごとの電界強度を測定する処理が必要であり、自動選局動作以外に前記処理を行うための処理時間と消費電力が必要であるという問題があった。
【０００５】
また、特許文献２に記載のものは、昼夜判別装置が２４時間計の時計を用いたもの、あるいは光センサーを用いたものであるが、２４時間計の時計を用いたものは時間によってのみ昼夜の判別をするため、季節によって電離層の高度変化する時間が異なることに対応できず、また、光センサーを用いて昼夜を判別しているものは、建物やトンネルによる日照条件の影響を受けるため、それぞれ最適な受信状態で選局できないという課題があった。
【０００６】
本発明は、従来の問題を解決するためになされたもので、自動選局動作に先立つ前記処理を必要とせず、なおかつ、季節によって異なる電離層が高度変化する時間に対応して、適切な自動選局動作が可能な放送受信機を提供することを目的とする。
【課題を解決するための手段】
【０００７】
本発明の放送受信装置は、受信周波数を走査させて所定の受信感度以上の放送局を選局する自動選局を行う放送受信装置であって、前記自動選局の動作を制御するマイコンと、現在の時刻および現在の年月日を算出する年月日時刻演算部と、１年間のそれぞれの月日と前記それぞれの月日の日没時刻とが対応付けられた情報として記憶された日没時刻データテーブルメモリとを有し、前記マイコンは、前記年月日時刻演算部が算出した現在の時刻および年月日の情報を用いて前記日没時刻データテーブルメモリに記憶された日没時刻データを参照し、現在の時刻が日没前か日没後かを判別し、この判別結果によって前記所定の受信感度の値を変更する構成を有している。
【０００８】
この構成により、自動選局動作に先立つ処理が不要となり、なおかつ、季節によって異なる電離層が高度変化する時間に対応して適切な自動選局動作を行うことが可能な放送受
信装置を提供することができる。
【０００９】
また、本発明の放送受信装置は、前記年月日時刻演算部が、前記マイコンと水晶振動子とからなる構成を有している。
【００１０】
この構成により、簡単な回路構成で年月日情報および時刻情報を得ることができる。
【発明の効果】
【００１１】
本発明は、現在の時刻および現在の年月日を算出する年月日時刻演算部と、１年間のそれぞれの月日と前記それぞれの月日の日没時刻とが対応付けられた情報として記憶された日没時刻データテーブルメモリとを設けることにより、自動選局動作に先立つ処理が不要となり、なおかつ、季節によって異なる電離層が高度変化する時間に対応して適切な自動選局動作を行うことが可能な放送受信装置を提供することができるものである。
【発明を実施するための最良の形態】
【００１２】
以下、本発明の実施の形態の放送受信装置としての、ＡＭラジオ受信装置を例に図面を用いて説明する。
【００１３】
本発明の第１の実施の形態のＡＭラジオ受信装置のブロック図を図１に示す。
【００１４】
本発明の実施の形態におけるＡＭラジオ受信装置１００は、スーパーヘテロダイン電子同調方式を採用したものである。
【００１５】
図１に示すとおり、ＡＭラジオ受信装置１００は、一般的なＡＭラジオ受信装置と同様に、最前段に、放送電波を受信する構成として、放送電波を受信するアンテナ入力部１０１と選局する周波数を選択する同調部１０２と同調部１０２により得られた希望受信周波数Ｆｉｎを増幅するＲＦ（Radio Frequency）用ＡＧＣアンプ１０３を有している。
【００１６】
次段に、ＲＦ用ＡＧＣアンプ１０３から得られた希望受信周波数Ｆｉｎを周波数変換する構成として、局部発振周波数Ｆｏｓｃを出力するＶＣＯ部１０７と混合して周波数変換を行うミキサ部１０４を有している。
【００１７】
電子同調を行う構成として、ＰＬＬ（Phase Locked Loop）を構成するため、基準周波数を生成するリファレンス周波数分周部１１１と水晶１１３と、プログラマブルディバイダ１１２、位相検波部１１０、ＬＰＦ部１０６とＶＣＯ部１０７を有している。
【００１８】
さらに、変調信号に対する復調を行う構成として、ミキサ部１０４より得られた中間周波ｆ２−ｆ１を増幅するＩＦ（Intermediate Frequency）用ＡＧＣアンプ１５１と、復調部１０５が設けられる。
【００１９】
最後段に、復調した信号を増幅する構成として、オーディオアンプ部１１７と、オーディオアンプ部１１７で増幅された信号を音声出力するスピーカ１１８、およびオーディオアンプ部１１７を消音するためのミュートコントロール部１５５が接続される。
【００２０】
また、ＡＭラジオ受信装置１００は、自動選局（シーク）を行うために、シークボタン１５４とキャリアレベル検出部１０８と放送局検出部１０９と、ＩＦカウント部１１５、ＩＦカウントスイッチ１１６が備えられている。
【００２１】
そして、ＡＭラジオ受信装置１００において装置全体の制御を行うために、ＣＰＵやＲ
ＯＭおよびＲＡＭなどを備えたマイコン１１４が被制御部品のそれぞれに電気的に接続されている。
【００２２】
さらに、本実施の形態におけるＡＭラジオ受信装置１００は、水晶振動子である時計用水晶１１９と日没時刻データテーブルメモリ１２０とが設けられており、時計用水晶１１９および時刻データテーブルメモリ１２０とがマイコン１１４に接続されている。
【００２３】
そして、マイコン１１４および時計用水晶１１９が年月日時刻演算部を構成している。すなわち、マイコン１１４は、時計用水晶１１９を振動させて、この振動回数を数える（カウントする）ことで時刻を算出し、現在の時刻情報を作成する。さらに作成した現在時刻情報を用いて日数を数えることで現在の年月日情報を作成している。作成された現在の時刻情報および現在の年月日情報は、マイコン１１４の内部メモリに一時的に記憶される。
【００２４】
図１において、同調部１０２は、希望する周波数を同調させるとともに、次段のＲＦ用ＡＧＣアンプ１０３に整合させる役割を持っている。同調周波数を受信周波数に応じて変化させる方法として、可変容量ダイオード（バラクタダイオード）の逆方向バイアス電圧を変化させることによって同調周波数を変える電子同調方式が一般的に用いられ、希望受信周波数ＦｉｎをＲＦ用ＡＧＣアンプ１０３に出力する。
【００２５】
そして、ＲＦ用ＡＧＣアンプ１０３は、放送電波の信号の電力を次段以降の信号処理において低ひずみと高ＳＮ比を確保するために、最適なゲインに増幅するオートゲインコントロールアンプである。
【００２６】
ＶＣＯ部１０７は、供給されるチューニング電圧によって発振周波数を変えることが可能な発振器であり、周波数変換に必要な局部発振周波数Ｆｏｓｃをミキサ部１０４に出力する。
【００２７】
ミキサ部１０４は、ＶＣＯ部１０７から出力される局部発信周波数Ｆｏｓｃと同調部１０２から出力される希望受信周波数Ｆｉｎを中間周波数の信号（中間周波数信号）に変換し出力する周波数変換器である。すなわち、ミキサ部１０４は乗算機能を有しており、同調部１０２から出力された希望受信周波数Ｆｉｎと、ＶＣＯ１０７から出力された局部発振周波数Ｆｏｓｃがミキサ部１０４に入力されて中間周波数信号である、Ｆｏｓｃ−ＦｉｎとＦｏｓｃ＋Ｆｉｎの信号がミキサ部１０４から出力される。
【００２８】
プログラマブルディバイダ１１２は、いわゆる分周器で、局部発信周波数と、マイコン１１４から出力される分周比Ｎを入力し、局部発信周波数をＮ分周した周波数の信号を出力する。以降この周波数を周波数ｆ（１／Ｎ）と称する。なお、プログラマブルディバイダ１１２の前段にプリスケーラが設けられていても良い。
【００２９】
リファレンス周波数発生部１１１は、水晶発振回路と分周回路などで構成されており、水晶１１３を発振させ、その発振周波数信号の分周を行い９ｋＨzのリファレンス周波数信号を生成し出力する。
【００３０】
位相検波部１１０は、位相比較器とチャージポンプ回路などで構成され、プログラマブルディバイダ１１２から出力された周波数ｆ（１／Ｎ）の信号とリファレンス周波数発生部１１１から出力されたリファレンス周波数の信号とが入力され、これら２つの信号からその位相を比較して、２つの信号の位相差を示す位相差信号を作成したのち、チャージポンプ回路にてＨｉｇｈレベル電圧状態とＬｏｗ電圧状態とハイインピーダンス状態の３状態のパルス波形を出力する。この出力を以降チャージポンプ出力信号と称する。
【００３１】
位相検波部１１０から出力された信号が入力されるＬＰＦ部１０６は、ラグフィルタ、ラグリードフィルタ、アクティブフィルタ等のローパスフィルタ機能を有したもので、入力されたチャージポンプ出力信号の積分を行って直流信号を生成し、生成した直流信号を出力する。この生成信号を前記のチューニング電圧と称している。
【００３２】
ＩＦ用ＡＧＣアンプ１５１は、バンドパスフィルタ回路とゲインコントロールアンプ回路から構成され、ミキサ部１０４から出力される中間周波数信号が入力され、中間周波数である４５０ｋＨｚ近辺の信号のみを最適なレベルに調整し出力する。
【００３３】
復調部１０５は、一般的なＡＭラジオの場合と同様に、ダイオードとコンデンサ及びトランジタ等から構成される包落線検波機能を有するものであり、中間周波数信号を音声信号に変換し出力するものである。
【００３４】
オーディオアンプ部１１７は、復調部１０５から出力された音声信号を入力し、あらかじめ設定された増幅率にて入力された音声信号を増幅し出力する。オーディオアンプ部１１７から出力された音声信号は、スピーカ１１８にて音声に変換されて出力される。
【００３５】
シーク動作時に用いられるキャリアレベル検出部１０８は、ダイオード、コンデンサ、トランジスタ等による整流回路を有した構成であり、ＩＦ用ＡＧＣアンプ１５１から出力される中間周波数信号が入力され、中間周波数信号の振幅レベルを検出してその振幅レベルを直流電圧として出力する。
【００３６】
キャリアレベル検出部１０８の後段に設けられる放送局検出部１０９は、コンパレータを用いて構成され、キャリアレベル検出部１０８から出力された直流電圧が入力され、入力された直流電圧がある規定レベル以上か未満かの判定を行い２値の信号（ＨｉｇｈレベルかＬｏｗレベル）として出力することで、放送局を検出したか、しないかの情報をマイコン１１４に送出する。
【００３７】
以上のように構成されたＡＭラジオ受信装置１００について、以下、図２から図４を用いてその動作を説明する。
【００３８】
図２および図３は、ＡＭラジオ受信装置１００のシーク動作時におけるマイコン１１４にて処理が行われるソフトウェアのフローチャートである。
【００３９】
ＡＭラジオ受信装置１００の電源がＯＮの状態にあるときは、通常受信状態とシークアップダウン処理中の２つのステータスが存在する。
【００４０】
通常受信状態においては、受信周波数を復調、音声出力する他に、マイコン１１４がシークボタン１５４が押下されたか否かを監視し、押下された場合は図２に示すシークアップダウン処理を実施する。
【００４１】
ＡＭラジオ受信装置１００のシークアップダウン処理に関するフローチャートを図２に示し、以下、その動作を説明する。
【００４２】
まず、シークアップダウン処理が開始されると、詳細を後述する電離層状態判別処理を行い、現在の時刻が日没過ぎか日没以前かの判別を行い、自動停止設定感度を決定する（ＳＴ２０１）。
【００４３】
ステップＳＴ２０１において決定された自動設定感度に基づいて、マイコン１１４によ
りＲＦ用ＡＧＣアンプ１０２のゲインの切り替えを行う（ＳＴ２０２）。
【００４４】
次に、マイコン１１４によりＩＦカウントスイッチ１１６を図１記載のＢ側に接続切り替えることで、ＩＦカウント部１１５が行っているＩＦ周波数のカウントを中止する（ＳＴ２０３）。ここで、ＩＦ周波数のカウントを中止する理由は、カウント動作によってサーチ動作が誤停止してしまうことを防止するためである。
【００４５】
以下、シーク時の動作としてシークアップ時の動作を例に説明する。国内ＡＭラジオの場合受信周波数ステップは９ＫＨｚである。シークアップするには、まず分周比ＮをＮ＋１することで、現在の放送局の周波数が５２２ｋＨｚ（Ｎ＝１０８）の場合、＋９ｋＨｚの５３１ｋＨｚ（Ｎ＝１０９）に受信周波数を変化させる（ＳＴ２０４）。現在の放送局の周波数が他の周波数の場合も同様に＋９ｋＨｚ変化させて受信周波数を走査させるようにする。なお、Ｎの値については後述する。
【００４６】
つぎに放送局検出を行う（ＳＴ２０５）。ステップＳＴ２０５ではＰＬＬが安定動作するまでのある規定時間待ったあとに放送局検出信号を認識したか否かを規定回数、規定時間おきに放送局検出の有無を判別する。放送局検出が「有」の場合は、ＩＦカウントスイッチをＡ側に接続切り替えることで、ＩＦカウント開始にし（ＳＴ２０６）、規定時間おきに規定回数の放送局検出したかどうかのＩＦカウント値の評価を行う（ＳＴ２０７）。放送局検出が「無」の場合はステップＳＴ２０４に戻る。
【００４７】
ステップＳＴ２０７において、ＩＦカウント値が規定範囲内であれば、ＲＦ用ＡＧＣアンプのゲインを通常状態にし、通常受信状態へ復帰する（ＳＴ２０８）。
【００４８】
またステップＳＴ２０７においてＩＦカウント値が規定範囲内でなければ、放送電波以外のノイズによる誤停止と判定し、ＳＴ２０３に戻る。
【００４９】
ここで、分周比Ｎと受信周波数について説明する。Ｎの値は、スーパーヘテロダイン方式の動作の性質上、ＶＣＯ部の発振周波数は、国内ＡＭラジオの場合は上側波を検波することとなり、５２２ｋＨｚ受信時の場合は中間周波数４５０ｋＨｚ高い周波数が必要となため、５２２ｋＨｚ＋４５０ｋＨｚ＝９７２ｋＨｚとなる。これは、このときのプログラマブルデバイダに入力する分周比が、一般的なＰＬＬ動作から、リファレンス周波数の比となりＮ＝９７２ｋＨｚ／９ｋＨｚ（リファレンス周波数）＝１０８となるからである。
【００５０】
上記では感度切り替えをＲＦ用ＡＧＣアンプで行っているが、ＩＦ用ＡＧＣアンプ、アンテナ入力部で行う場合もある。またＲＦ用ＡＧＣアンプ、ＩＦ用ＡＧＣアンプ、アンテナ入力部のすべてまたは、複数部分で行う場合もある。
【００５１】
次に、ステップＳＴ２０１における電離層状態判別のフローを図３および図４を用いてその動作を説明する。図３は、電離層状態判別のフローを示すフローチャートであり、図４は、日没時刻データテーブルを示す図である。
【００５２】
まず、時計用水晶１１９を用いたマイコン１１４の演算により、現在の年月日情報から現在の月日情報を得る（ＳＴ３０１）。
【００５３】
そして、ステップＳＴ３０１より得られた月日情報より、詳細を後述する図４に示す日没時刻データテーブルメモリ１２０の参照先アドレスを計算し、参照先アドレスから現在の日没時刻を得る（ＳＴ３０２）。その後さらに、時計用水晶１１９を用いたマイコン１１４の演算による現在の時刻情報を得る（ＳＴ３０３）。
【００５４】
次に、ステップＳＴ３０２において得られた現在の日没時刻と、ステップＳＴ３０３において得られた現在の時刻情報を比較し、現在の時刻情報が日没時刻より後か判別する（ＳＴ３０４）。
【００５５】
ステップＳＴ３０４における判別の結果、現在の時刻情報が日没時刻より後の場合は自動停止感度を夜間用に設定し（ＳＴ３０５）、現在の時刻情報が日没時刻より前の場合は自動停止感度を昼間用に設定する（ＳＴ３０６）。
【００５６】
なお、自動停止感度設定は、夜間用と昼間用との２値のみの切替えだけではなく、日没時刻に前後して３値以上の切替えを行うようにしてもよい。
【００５７】
現在の月日情報および現在の時刻情報は、電波時計や、ＧＰＳ、文字放送の年月日時刻情報をマイコンに入力可能な電気信号に変換し、マイコンに接続することでも得ることができる。
【００５８】
日没時刻データテーブルメモリ１２０に記憶されているデータの内容は、図４に示すとおり、１年間のそれぞれの月日と各月日の日没時刻とを対応付けた情報である。日没時刻データテーブルメモリ１２０内の情報については、あらかじめ日没時刻を一意的に決定した固定情報を用いても良いし、ＡＭラジオ受信装置が情報を更新する手段を有する場合は気象データから算出され常に更新される情報を用いてもよい。
【００５９】
なお、以上の説明においては、ＡＭ受信機を例に説明したが、ＡＭ放送の受信機に限定するものではない。
【００６０】
以上説明したとおり、電離層の高度変化と相関関係にある季節および日没時刻を日没時刻データテーブルメモリから得ることにより、電離層の高度に合致したシークの自動停止感度設定を適切に切替えることで、シーク時に最適な受信状態で選局できない課題を改善することが、シーク動作に先行した電界強度の測定無しで行える。また電界強度の測定が不要なため、測定のための時間、測定のための消費電力を抑えることができる。
【産業上の利用可能性】
【００６１】
以上のように、本発明に係る放送受信装置は、現在の時刻および現在の年月日を算出する年月日時刻演算部と、１年間のそれぞれの月日と前記それぞれの月日の日没時刻とが対応付けられた情報として記憶された日没時刻データテーブルメモリとを設けることにより、自動選局動作に先立つ処理が不要となり、なおかつ、季節によって異なる電離層が高度変化する時間に対応して適切な自動選局動作を行うことができるという効果を有し、自動選局を行う放送受信装置等として有用である。
【図面の簡単な説明】
【００６２】
【図１】本発明の実施の形態におけるスーパーヘテロダイン式電子同調ＡＭラジオのブロック図
【図２】本発明の実施の形態におけるシークアップダウン処理のフロー図
【図３】本発明の実施の形態における電離層状態判別のフロー図
【図４】本発明の実施の形態における日没時刻データテーブルメモリの一例を示す図
【符号の説明】
【００６３】
１０１  アンテナ入力部
１０２  同調部
１０３  ＲＦ用ＡＧＣアンプ
１０４  ミキサ部
１０５  復調部
１０６  ＬＰＦ部
１０７  ＶＣＯ部
１０８  キャリアレベル検出部
１０９  放送局検出部
１１０  位相検波部
１１１  リファレンス周波数分周部
１１２  プログラマブルディバイダ
１１３  水晶
１１４  マイコン
１１５  ＩＦカウント部
１１６  ＩＦカウントスイッチ
１１７  オーディオアンプ部
１１８  スピーカ
１１９  時計用水晶
１２０  日没時刻データテーブルメモリ
１５１  ＩＦ用ＡＧＣアンプ
１５４  シークボタン
１５５  ミュートコントロール部
【図１】
2010232979.tif 000003
【図２】
2010232979.tif 000004
【図３】
2010232979.tif 000005
【図４】
2010232979.tif 000006